(57)【特許請求の範囲】
【請求項１】
マイクロホンを支持する支持部に設けられていて送話期間中手動操作によって閉路される押釦スイッチと、この押釦スイッチの閉路期間の始端に若干遅れて始まり閉路期間の終端に若干遅れて終了する出力を生ずるマイクロコンピュータ回路と、上記押釦スイッチの閉路期間の始端及び終端にそれぞれ応動して立上り一定時間後に終了するミュート信号の発生回路と、上記ミュート信号の存続期間を除く上記マイクロコンピュータ回路出力の存続期間中閉路して上記マイクロホンの出力信号を送出するスイッチ回路とよりなるマイクロホン装置。
【請求項２】
上記押釦スイッチは、押釦の押圧期間中閉路状態になることを特徴とする請求項１記載のマイクロホン装置。
【請求項３】
上記押釦スイッチは、押釦の初回の押圧の終了によって閉路し、次回の押圧の開始によって開路するように構成されていることを特徴とする請求項１記載のマイクロホン装置。
【発明の詳細な説明】
【０００１】
【発明が属する技術分野】
本発明は、マイクロホンが押釦式などの送話用スイッチを有する卓上型スタンド等に支持されているマイクロホン装置に関するものである。
【０００２】
【発明が解決しようとする課題】
送話用の押釦スイッチを有する台から伸延するフレキシブル・アームの先端にマイクロホンを取付けたマイクロホン装置では、押釦スイッチの押圧、釈放の際の機械的振動がフレキシブル・アームを伝わってマイクロホンに拾われ、雑音となる。従来は、このような振動雑音を防ぐために、例えば台と押釦スイッチとの間にゴム質の緩衝材を介在させることが行なわれていた。しかし、この緩衝材の形状は、台や押釦スイッチの構造が変わると異なってくるために、マイクロホン装置の各機種ごとに異なる形状の緩衝材を用意しなければならず、部品管理の面で不便であった。
【０００３】
また、この種のマイクロホン装置では、台の中にマイクロコンピュータ回路を収容し、押釦スイッチの押圧、釈放時のチャタリング等による誤動作を防ぐために、マイクロホン装置から送話音声信号が送出される期間の始端及び終端を、押釦スイッチの閉路期間の始端及び終端より若干時間遅れさせることが行なわれているが、これより上述の振動雑音を除去するのは困難であった。
【０００４】
本発明は、台や押釦スイッチの構造の変化に対応して、常に押釦スイッチの操作時の振動雑音を除去しようとするものである。
【０００５】
【課題を解決するための手段】
本発明のマイクロホン装置は、送話用押釦スイッチを有する台や機器のパネル等にマイクロホンが支持されている。そして上記押釦スイッチの閉路期間の始端に若干遅れて始まり閉路期間に若干遅れて終了する出力を生ずるマイクロコンピュータ回路と、上記押釦スイッチの閉路期間の始端及び終端にそれぞれ応動して立上り、一定時間後に終了するミュート信号の発生回路と、上記マイクロコンピュータ回路出力及びミュート信号の一方または双方の存続期間中閉路して上記マイクロホンの出力信号を通過させるスイッチ回路とを有している。
【０００６】
押釦スイッチの閉路期間の始端からマイクロコンピュータ出力の始端までの遅延時間を、押釦スイッチの機械的振動による雑音期間より長く選べば、送話期間の始端におけるこの振動雑音を除去することが可能であるが、その反面、コンピュータ出力の後端が押釦スイッチの閉路期間から大幅に遅れるために、送話期間の後端の振動雑音が送話信号と共に送出されることになる。しかし本発明では、押釦スイッチの閉路期間の始端及び後端に続く一定時間の間、マイクロホンの出力信号をミュート信号によって遮断するので、効果的に押釦スイッチの信号雑音を除くことができ、このミュート信号の時間幅を機種ごとに調節することにより、振動雑音の長さが異なる複数の機種に対応させることができる。
【０００７】
【発明の実施の形態】
図１において、マイクロホン１の出力は、電子スイッチ回路２を経由して送出される。押釦スイッチ３の閉路信号はマイクロコンピュータ回路４とミュート信号発生回路５とに与えられ、これら回路４及び５の出力はそれぞれ論理和（オア）回路６で綜合されて、電子スイッチ回路２を制御している。点線矢印７は、押釦操作時の機械的振動の伝達を示す。
【０００８】
押釦スイッチ３は、図２（ａ）に示すように時刻ｔ1 に押下され、時刻ｔ2 に釈放されて閉路信号１１を発生し、その間の送話によって図２（ｂ）に示す音声信号１２がマイクロホン１から出力される。一方、押釦スイッチ３の押下、釈放時には、図２（ｂ）のようにそれぞれ機械的振動による振動雑音１３、１４をマイクロホン１が拾う。
【０００９】
マイクロコンピュータ回路４は、図２（ｃ）に示すように始端及び終端が時刻ｔ1 及びｔ2 にそれぞれΔＴ（通常は数１００μｓ乃至数ｍｓ）だけ遅れた出力１５を作り、ミュート信号発生回路５は図２（ｄ）のように時刻ｔ1 及びｔ2 からそれぞれＴ時間接続するミュート信号１６、１７を作る。これらのマイクロコンピュータ回路出力１５及びミュート信号１６、１７はオア回路６で綜合されて図２（ｅ）に示すオア信号１８を発生し、このオア信号の存続期間だけ電子スイッチ回路２を閉路して、マイクロホン１が捉えた音声信号１２を送出する。電子スイッチ回路２の閉路期間は、時刻ｔ1 からＴ時間遅れた時刻ｔ3 に始まり、時刻ｔ2 に終了するので、時刻ｔ1 、ｔ2 に始まる振動雑音１３、１４を完全に遮断し、音声信号１２のみを通過させる。
【００１０】
押釦スイッチ３の操作の別の型式のものは、押釦スイッチ３を１回押圧して送話を行ない、送話を終わって押釦スイッチ３を再度押圧する。このスイッチは、図３（ａ）のように時刻ｔ1 に押圧して時刻ｔ2 に釈放し、時刻ｔ3 に再度押圧して時刻ｔ4 に釈放すると、同図に示すように時刻ｔ1 からｔ2 までの間、及び時刻ｔ3 からｔ4 までの間に閉路信号２１を発生する。そして、図３（ｂ）に示すように、時刻ｔ1 、ｔ2 、ｔ3 ｔ4 の都度振動雑音２２、２３、２４、２５が現れ、音声信号２６は時刻ｔ2 とｔ3 の間にマイクロホン１に向かって送話される。
【００１１】
マイクロコンピュータ回路４は、図３（ｃ）に示すように閉路信号２１に応動して時刻ｔ2 にΔＴ時間遅れて発生し、時刻ｔ3 にもΔＴ時間遅れて終了する出力２７を生ずる。また、ミュート信号発生回路５は図３（ｄ）に示すように時刻ｔ1 、ｔ2 、ｔ3 及びｔ4 に始まってそれぞれＴ時間存続するミュート信号２８、２８ａ、２９及び２９ａを作る。これらの信号２７、２８、２８ａ、２９及び２９ａはオア回路６において第３図（ｅ）のように綜合され、時刻ｔ2 からＴ時間後の時刻ｔ5 に始まり時刻ｔ3 までの間存続するオア信号３０を作り、これによって電子スイッチ回路２が閉じられる。従って、時刻ｔ5 からｔ3 までの間に存在する音声信号２６だけが電子スイッチ回路２を通って送出され、前後に位置する振動雑音２２、２３、２４、２５はすべて遮断される。
【００１２】
なお、振動雑音の存続期間は、スイッチ３の押釦からマイクロホン１に至るマイクロホン支持部の構造によって異なるので、ミュート信号の時間幅はこれに合わせて機種ごとに決めることにより、多機種のマイクロホン装置に対応させることができる。
【００１３】
【発明の効果】
以上のように、本発明によるときは送話用押釦スイッチを有するマイクロホン装置において、その多機種に対応して押釦の押下、釈放に伴う振動雑音を効果的に除去することができるのである。
【図面の簡単な説明】
【図１】本発明の実施例のブロック図である。
【図２】図１に示す実施例の各部の波形図である。
【図３】図１に示す実施例で図２とは異なる型式の押釦スイッチを使用した場合の各部の波形図である。
【符号の説明】
１  マイクロホン
２  電子スイッチ回路
３  押釦スイッチ
４  マイクロコンピュータ回路
５  ミュート信号発生回路
６  論理和（オア）回路
【図１】
0003801302.tif 000002
【図２】
0003801302.tif 000003
【図３】
0003801302.tif 000004